(57)【要約】【課題】  感謝メッセージのやり取りを行うことのできる感謝メッセージ送受信方法において、退職メッセージを、人事部等の特定の人に送信できるシステムを提供する。【解決手段】  感謝メッセージの送信先を指定する名前検索部９３ｂと、指定した相手へ前記感謝メッセージを送信するメッセージ送信手段１４ｇと、送信する又は／及び受信した感謝メッセージを表示する受信メッセージ表示手段１４ｅと、各利用者が送信又は受信した感謝メッセージを各利用者ごとに集計する集計手段１４ｔを備え、感謝メッセージによって人間関係を見える化、人間関係のマネッジメントを行い、感謝の心を育めるようにする。さらに、人間関係が疎遠になって退職のリスクが生じている社員に対してフォローをすることができ、さらに、耐職のリスクがたまった利用者については当該利用者がコミュニケーション不足による退職のリスクがあることを退職リスク報知手段１４ｓにより報知する。【選択図】図３
2019101646.tif 000002
【特許請求の範囲】
【請求項１】
感謝メッセージの送信先を指定する送信先指定手段と、
指定した相手へ前記感謝メッセージを送信する感謝メッセージ送信手段と、
送られてきた感謝メッセージを受信する感謝メッセージ受信手段と、
送信又は／及び受信した感謝メッセージを出力する感謝メッセージ出力手段と、
前記感謝メッセージを記憶する記憶手段と、
各利用者が送信又は受信した感謝メッセージを前記記憶手段から読み出して利用者ごとに集計する集計手段と、
前記各利用者のうち前記集計手段による集計結果が所定条件に合致する確認対象利用者について、当該確認対象利用者がコミュニケーション不足による退職のリスクがあることを報知する退職リスク報知手段とを備えた
感謝メッセージ送受信システム。
【請求項２】
前記記憶手段は、前記各利用者の上下関係を示す利用者上下関係データを記憶する構成であり、
前記所定条件は、前記利用者上下関係データに記憶された前記確認対象利用者の上司となる利用者との間での前記感謝メッセージの送信、受信、又は送受信の回数が所定期間内で所定値以下であることである
請求項１に記載の感謝メッセージ送受信システム。
【請求項３】
前記各利用者のうち確認したい特定の一人を指定する特定利用者指定手段と、
前記集計手段で集計した集計結果に基づいて、前記特定利用者指定手段により指定された特定利用者が他の利用者との間で行った感謝メッセージの送信又は／及び受信の頻度を表示する感謝頻度表示手段を備えた、
請求項１又は２に記載の感謝メッセージ送受信システム。
【請求項４】
前記感謝頻度表示手段は、前記特定利用者を表す特定利用者マークを中心に配置し、周囲に前記他の利用者を表す他の利用者マークを配置した感謝頻度表示診断図を表示する構成であり、
前記診断図における前記他の利用者マークは、前記他の利用者毎に、前記中心からの距離と円周方向の位置とで規定される座標系に位置決めされる構成であり、
前記中心からの距離は、前記頻度が高いほど短くなるように決定され、
前記円周方向の位置は、前記他の利用者毎に異なる位置に決定されている
請求項３記載の感謝メッセージ送受信システム。
【請求項５】
前記記憶手段は、前記各利用者の所属を示す所属データを記憶する構成であり、
前記集計手段により前記感謝メッセージを前記所属別に集計し、
前記所属別の前記感謝メッセージの送信又は／及び受信の頻度を所属別活性度として前記所属別に表示する所属別活性度表示手段を備えた
請求項１から４のいずれか１つに記載の感謝メッセージ送受信システム。
【請求項６】
感謝メッセージの送信先を指定する送信先指定ステップと、
前記感謝メッセージの送信先として指定した相手へ前記感謝メッセージを送信する感謝メッセージ送信ステップと、
他の利用者から送られてくる感謝メッセージを受信する感謝メッセージ受信ステップと、
送信又は／及び受信した感謝メッセージを出力する感謝メッセージ出力ステップと、
前記感謝メッセージを記憶手段に記憶する記憶ステップと、
各利用者が送信又は受信した感謝メッセージを前記記憶手段から読み出して利用者ごとに集計する集計ステップと、
前記各利用者のうち集計手段による集計結果が所定条件に合致する確認対象利用者について、当該確認対象利用者がコミュニケーション不足による退職のリスクがあることを報知する退職リスク報知ステップとを有する
感謝メッセージ送受信方法。
【請求項７】
コンピュータを、
感謝メッセージの送信先を指定する送信先指定手段と、
指定した相手へ前記感謝メッセージを送信する感謝メッセージ送信手段と、
送られてきた感謝メッセージを受信する感謝メッセージ受信手段と、
送信又は／及び受信した感謝メッセージを出力する感謝メッセージ出力手段と、
前記感謝メッセージを記憶する記憶手段と、
各利用者が送信又は受信した感謝メッセージを前記記憶手段から読み出して利用者ごとに集計する集計手段と、
前記各利用者のうち前記集計手段による集計結果が所定条件に合致する確認対象利用者について、当該確認対象利用者がコミュニケーション不足による退職のリスクがあることを報知する退職リスク報知手段として機能させる
感謝メッセージ送受信プログラム。
【発明の詳細な説明】
【技術分野】
【０００１】
この発明は、企業等の組織内で「ありがとう」等の感謝メッセージを気軽に伝え合うことのできる感謝メッセージ送受信システム、感謝メッセージ送受信方法、感謝メッセージ送受信プログラムに関するものである。
【背景技術】
【０００２】
従来、コンピュータを使用した様々なシステムが提案されている。その中で、例えば、コスト，品質，デリバリを満足する部品を購入するにあたり、その関連技術情報を早期に広範囲にわたって入手でき、部品購入のための十分な検討が行える技術情報交換方法、部品購入方法、プログラム、及び記録媒体が提案されている（特許文献１参照）。この特許文献１には、受注候補者からの返信があった場合に、（即座に）受注候補者に対し、お礼通知を行うことを特徴とすることが記載されている。
【０００３】
しかしながら、この特許文献１の技術は、お礼通知を行うことができるものの、受注候補者からの返信の有無にかかわらず感謝の気持ちを相手方に気楽に伝えるものではなかった。また、そのやりとりから関係性を評価するようなものでもなかった。
【先行技術文献】
【特許文献】
【０００４】
【特許文献１】特開２００２−２６９４０５号公報
【発明の概要】
【発明が解決しようとする課題】
【０００５】
この発明は、上述した問題点に鑑み、感謝の気持ちを簡単に相手に伝えることができ、かつ、その関係性に基づく評価を可能とする感謝メッセージ送受信システム、感謝メッセージ送受信方法、および感謝メッセージ送受信プログラムを提供することを目的とする。
【課題を解決するための手段】
【０００６】
この発明は、感謝メッセージの送信先を指定する送信先指定手段と、指定した相手へ前記感謝メッセージを送信する感謝メッセージ送信手段と、送られてきた感謝メッセージを受信する感謝メッセージ受信手段と、送信又は／及び受信した感謝メッセージを出力する感謝メッセージ出力手段と、前記感謝メッセージを記憶する記憶手段と、各利用者が送信又は受信した感謝メッセージを前記記憶手段から読み出して利用者ごとに集計する集計手段と、前記各利用者のうち前記集計手段による集計結果が所定条件に合致する確認対象利用者について、当該確認対象利用者がコミュニケーション不足による退職のリスクがあることを報知する退職リスク報知手段とを備えた感謝メッセージ送受信システム、これによる感謝メッセージ送受信方法、および感謝メッセージ送受信プログラムであることを特徴とする。
【発明の効果】
【０００７】
この発明により、感謝の気持ちを簡単に相手に伝えることができ、かつ、その関係性に基づく評価を行うことができる。
【図面の簡単な説明】
【０００８】
【図１】感謝メッセージ送受信システムの全体システム構成図。
【図２】ユーザ端末の構成を示すブロック図。
【図３】管理サーバの構成を示すブロック図。
【図４】トップ画面、受信画面、および送信画面の説明図。
【図５】ランキング画面の画面構成図。
【図６】ありがとう活性度診断表示画面の画面構成図。
【図７】ありがとうマネッジメント診断第１表示画面の画面構成図。
【図８】ありがとうマネッジメント診断第２表示画面の画面構成図。
【図９】ありがとう育成診断表示画面の画面構成図。
【図１０】人間関係アラーム表示画面の画面構成図。
【発明を実施するための形態】
【０００９】
本発明の実施の形態について、図面を参照しつつ説明する。
【実施例１】
【００１０】
図１は、本発明の実施例１による感謝メッセージ送受信システム１の全体構成を示す概略説明図である。
【００１１】
感謝メッセージ送受信システム１は、会員会社内で使用される場合もあれば、会員会社のある部門内で使用される場合もあれば、会員会社間を通して使用される場合もあるが、まずは、ある会員会社内で使用される場合について説明する。
【００１２】
感謝メッセージ送受信システム１は、管理サーバ１０１と、複数のユーザ端末１８とが、インターネットやイントラネット等の電気通信回線６を通じて通信可能に接続されて構成されている。
【００１３】
管理サーバ１０１は、管理プログラム８ｃ等のプログラムに従って各種動作を制御する制御部８ａ、マウスとキーボード等により入力を受け付ける入力部８ｉ、ディスプレイにより表示を行う表示部８ｊ、および通信を行う通信部８ｋを有し、さらに、管理プログラム８ｃおよび管理データベース８ｄを記憶する記憶部８ｂを有する。
【００１４】
管理データベース８ｄは、役職データ１５ｂ、社員データ１５ａ、所属データ１５ｃ、及びありがとうデータ１５１を記憶している。  
ありがとうデータ１５１は送信日時、送信者社員ＩＤ，受信者社員ＩＤ，（ありがとう／すごい）のバッチ区分およびメッセージの項目を有している。これにより、各利用者の他の利用者への感謝メッセージ「ありがとう」の送信および受信のすべてのデータを記憶している。
【００１５】
上記社員データ１５ａは社員ＩＤ，社員名、役職ＩＤ，所属ＩＤを有している。  
役職データ１５ｂは役職ＩＤ，役職名、役職順位を有している。ここで、役職順位は、１：会長、２：社長、３：部長、４：課長、５：係長、６：主任、７：一般社員、８：パート／アルバイトの８分類で記憶されている。  
所属データ１５ｃは所属ＩＤ、所属名、階層を有している。ここで、階層は、１．事業部、２．課、３．チームの３分類で記憶されている。
【００１６】
ユーザ端末１８は、操作プログラム１８ｃ等のプログラムに従って各種動作を制御する制御部１８ａ、タッチパネル等により入力を受け付ける入力部１８ｉ、ディスプレイにより表示を行う表示部１８ｊ、および通信を行う通信部１８ｋを有し、さらに、管理プログラム１８ｃおよびユーザデータ１８ｄを記憶する記憶部１８ｂを有する。
【００１７】
図２は、ユーザ端末１８における制御部１８ａの機能ブロック図である。１４ａはユーザ認証部、１４ｂはユーザ認証部１４ａで認証を経たユーザが送信した送信メッセージを管理サーバ１０１から取得する送信メッセージ取得部であり、１４ｃは送信メッセージを最新のものから一覧に並べたトップ画面を表示するトップ画面表示部であり、送信メッセージ表示部（感謝メッセージ出力手段）としても機能する。１４ｄは感謝メッセージを受信する、及び受信したメッセージを管理サーバ１０１から取得するメッセージ受信部（感謝メッセージ受信手段、及び受信メッセージ出力手段）、１４ｅは受信した感謝メッセージを表示する受信メッセージ表示部（受信メッセージ表示手段）、１４ｆは送信する感謝メッセージを作成する送信メッセージ作成部、１４ｇは作成した感謝メッセージを送信するメッセージ送信部（感謝メッセージ送信手段）、１４ｈは感謝メッセージの送信、受信の多さを示すランキングのための集計を行うランキング集計部、１４ｊはランキング集計した結果を表示するランキング表示部、１４ｊは「ありがとう活性度診断」を行うありがとう活性度診断部、１４ｋはその診断結果を表示するありがとう活性度表示部（所属別活性度表示手段）、１４ｌは「ありがとうマネッジメント診断」を行うありがとうマネッジメント診断部、１４ｍはその診断結果を表示するありがとうマネッジメント表示部（感謝頻度表示手段）、１４ｎは「ありがとう育成診断」を行うありがとう育成診断部、１４ｏはその診断結果を表示するありがとう育成表示部、１４ｐは退職アラームのアラーム対象者を表示する退職アラーム対象者表示部（退職リスク表示手段）である。
【００１８】
図３は、管理サーバ１０１における制御部１８ａの機能ブロック図である。１４１はユーザ端末１８の各ノードＡ，Ｂ，Ｃ，Ｄ，Ｅ，Ｆ，Ｇからの要求を処理する要求処理部、１４ｑは要求処理部１４１を経て得たありがとうデータ１５１のデータを解析して、退職アラームを発すべき対象者を抽出する退職アラーム対象者抽出部、１４ｒは退職アラーム対象者抽出部１４ｑに対し、定期チェックを実行せしめる定期チェック実行部、１４ｓは退職アラーム対象者抽出の結果を通知する退職アラーム対象者通知部（退職リスク報知手段）である。
【００１９】
要求処理部１４１は、ありがとうデータ１５１に記憶されている送受信された感謝メッセージを集計する上記集計部１４ｔも有している。  
また、要求処理部１４１は、ありがとうデータ１５１に接続されており、このありがとうデータ１５１に繋がる社員データ１５ａ、役職データ１５ｂ、および所属データ１５ｃから必要な情報を取得できるように構成されている。各データは、名称が同じＩＤによりリンクされており、例えば、社員データ１５ｂ（図１参照）であれば、役職ＩＤから役職データ１５ｂの役職名を、所属ＩＤから所属データ１５ｃの所属名を取得できる。また、ありがとうデータ１５１であれば、送信者社員ＩＤと一致する社員データ１５ａの社員ＩＤから送信者の社員名を、受信者社員ＩＤと一致する社員データ１５ａの社員ＩＤから受信者の社員名を取得できる。
【００２０】
また、図４（Ａ）、図４（Ｂ）、図４（Ｃ）、図４（Ｄ）および図５は、ユーザ端末１８の表示部１８ｊに表示する画面を示している。
【００２１】
図４（Ａ）は、ログインした後にトップ画面表示部１４ｃ（図２参照）によって表示されるトップ画面９１である。トップ画面９１は、ログインした利用者が送信した感謝メッセージ９１ａ，９１ａを最新送信したものから一覧表示し、下方に、選択されるとトップ画面９１を表示するトップ画面タブ９１ａ、選択されると受信画面９２を表示するための受信画面タブ９１ｂ、選択されると送信メッセージ作成画面９３を表示する送信画面タブ９１ｃ、および選択されるとランキング画面９５を表示するランキング画面タブ９１ｄが設けられている。また、画面右上には、選択されると全ての画面の名称が一覧表示されてその中で選択された名称の画面に移行できるメニュー部９１ｍが設けられている。
【００２２】
図４（Ｂ）は、受信メッセージ表示部１４ｅ（図２参照）によって表示される受信画面９２である。受信画面９２には、今までに受信した感謝メッセージ９２ａ，９２ａ，９２ａが最近受信したものから順に表示される。
【００２３】
図４（Ｃ）は、送信メッセージ作成部１４ｆ（図２参照）によって表示される送信メッセージ作成画面９３である。送信メッセージ作成画面９３は、送信者となる自身の名前を表示する送信者表示部９３ａ、送信宛先を検索する名前検索指定部９３ｂ（送信相手先指定手段）、メッセージ区分となるバッチを「ありがとう！」と「すごい！」から選択するメッセージ区分選択部９３ｃ、メッセージ内容を入力するメッセージ入力部９３ｄを有している。
【００２４】
図４（Ｄ）は、送信メッセージ作成画面９３によるメッセージの作成が完了した段階で送信メッセージ表示部であるトップ画面表示部１４ｃにより表示される送信メッセージ確認画面９４である。送信メッセージ確認画面９４で下方にある送信ボタン（図示では画面下に隠れており画面を上にスクロールすれば表示される）を選択することで作成したメッセージが送信先に指定した名称の利用者へ送信され、ありがとうデータ１５１に蓄積される。
【００２５】
図５は、ランキング表示部１４ｉにより表示されるランキング画面９５である。ランキング画面９５は、ログインしたユーザが「ありがとう」のメッセージを送信および受信した相手の集計結果を送信ランキング表示部９６および受信ランキング表示部９７に表示する。送信ランキング表示部９６は、ログインしたユーザが送信した送信相手のランキングを示し、受信ランキング表示部９７は、ログインしたユーザが受信した相手のランキングを示す。なお、全社での送信ランキング、受信ランキング、送受信ランキング、またはこれらの複数を出力する、あるいは、部門別での送信ランキング、受信ランキング、送受信ランキング、またはこれらの複数を出力する構成としてもよい。これらのランキングは、週間、月間、四半期間、半年間、年間などの適宜の期間で集計してランキングすることができる。このようにランキングを表示する場合、社内や部門内でのランキングの上位を目指すことで感謝の気持ちを表す感謝メッセージの送信を活性化することができる。また、ランキングの下位である、メッセージの送信、受信、または送受信が少ないユーザを上司やチームリーダーといった上位の者が確認し、対策を取ることができる。特に、メッセージの送信、受信、または送受信が少ないユーザに対して、メッセージを多く送信して返信などでメッセージの送信をすることを促すことや、コミュニケーションをとって組織内で活動しやすくするといったフォローができる。これにより、社員間でのメッセージのやり取りが少なく、退職のリスクが高まっているユーザに対して、フォローを入れて退職を防止することができる。
【００２６】
次に、感謝メッセージ送受信システム１での分析に関する画面構成と動作について説明する。ここで説明する感謝メッセージ送受信システム１は、代表的には、インターネット回線を用いて動作するアプリを用いて構成され、該アプリによるシステムの会員会社となっている会社で、社内において「ありがとう」の活性化に用いる場合を説明する。
【００２７】
本アプリの概略は、会員会社の社内で、感謝メッセージ「ありがとう」が送信、及び受信されるごとに、その送信、あるいは受信の、送信日時、送信者社員ＩＤ，受信者社員ＩＤ，バッチ区分、およびメッセージよりなる「ありがとうデータ」１５１に蓄積され、このデータを解析して、その「ありがとう」のメッセージの送信、受信の多さについてランキングをつけ、これを表示可能とすることにより、「ありがとう」の送受信の活発化を行い、これにより、組織を活性化していこうとするものである。
【００２８】
そして、感謝メッセージ送受信システム１は、上記「ありがとう」送受信のランキングを行うことができるだけでなく、さらに、「ありがとう」の送受信を解析して種々の診断を行う「ありがとう活性度診断」、「ありがとうマネッジメント診断」、「ありがとう育成診断」の機能を設けることにより、「ありがとう」の心、すなわち、感謝の心のより一層の活発化、造成を行うことができるとともに、さらに、「人間関係アラーム（退職アラーム）発信」の機能を設けることにより、上記「ありがとう」送受信のデータの解析から、退職につながる可能性のある状況や変化について、定期的に職場の人間関係アラーム（退職アラーム）として、人事部などあらかじめ定められた担当者へ通知し、これにより人間関係の改善に資することができるようにしたものである。
【００２９】
以下、まず、上記「ありがとう活性度診断」、「ありがとうマネッジメント診断」、「ありがとう育成診断」について、説明する。
【００３０】
≪ありがとう活性度診断≫
図６は、ありがとう活性度表示部１４ｋ（図２参照）によって表示されるありがとう活性度診断表示画面４０の画面構成図である。図示の例は社内の診断であるが、社外の診断も行える。
【００３１】
≪社内≫
社内の各部門で、「ありがとう」のメッセージのやりとりが、どの部門で多くなされているか、また、どの部門が非活性化しているかを可視化させる。「ありがとう」のやりとりが非活性になるのには様々な理由が考えられるが、やりとりが少ないことは関係性が薄く浅くなっていく原因になる。その点を数値化することにより、人間関係の希薄さや悪化が原因で起こる様々な問題（業績悪化、連携ミス、ハラスメント、退職など）を、未然に発見し防ぐことに繋げることを目的としている。
【００３２】
≪社外≫
このアプリを活用する企業の、登録従業員数と、月間のありがとう投稿数の割合から、ありがとうの活性度のＳ．Ａ．Ｂ．Ｃ．Ｄの５段階への格付けを行う。これにより、見えなかった企業のありがとう活性化度を可視化する。そして、参加企業が共にありがとうレベルを高めあうことによって、働く人々の心を温かくしていくようにする。（これは、過去の実績、例えば、一月前実績等として表示することができる。）
【００３３】
≪計算方法≫
ありがとう活性度は、次のようにして計算する
（１）１ヶ月間の計算方法
ありがとう活性度  ＝  １ヶ月のありがとう数÷該当月の従業員数
（例えば、１ヶ月のありがとう数が２０００回で、該当月の従業員数が２００名であれば、活性度は１０となる。）
（２）３ヶ月間の計算方法
ありがとう活性度
＝  ３ヶ月のありがとう数÷３ヶ月間の平均従業員数÷３ヶ月
（３）月の半ば計算方法（１１月１５日の場合）  
ありがとう活性度
＝  １５日までのありがとう数÷該当月の従業員数×１５日÷３０日
【００３４】
≪指標≫
Ａ）  自社対比、先月対比、過去一年間平均値対比、最高実績対比、最低実績対比
Ｂ）  会員企業対比    過去会員企業実績を、次のように５ランクに分けて自社実績と対比する
Ｓランク：５％以下
Ａランク：５％より多く３０％以下
Ｂランク：３０％より多く７０％以下
Ｃランク：５０％より多く９５％以下
Ｄランク：９５％より多く１００％以下
【００３５】
今、ある社員Ｘは、自己が常に利用しているユーザ端末１８、あるいは社内の任意のユーザ端末１８を用いて、本システムにログインし、トップ画面９１等のメニュー部９１ｍにて「ありがとう活性度診断」にアクセスすると、該ユーザ端末の画面上には、ほぼ図６に示されるようなありがとう活性度診断表示画面４０が表示される。
【００３６】
そして、その図６に示すありがとう活性度診断表示画面４０において、期間のプルダウンメニュー４５で、期間を、「今月」、「１か月」、「３か月」、「６カ月」、「１２カ月」「自由設定」の中から選択し、雇用形態のプルダウンメニュー４６で、雇用形態を、［Ａ］正社員のみ、［Ｂ］パートアルバイトのみ、［Ｃ］正社員とパートアルバイト全員、の中から選択し、送受信のプルダウンメニュー４７で、送信か、受信か、送受信か、を選択し、所属組織（部門）として、組織６階層（例：［１］全社、［２］事業部、［３］部、［４］課、［５］グループ、［６］チーム）の中から、所望の層を選択すると、例えば、グループ、課、あるいは部ごとに、「ありがとう」の送信、受信、又は送受信の頻度が表わされる「ありがとう活性度診断」の部門別活性度グラフ４３が得られる。すなわち、各グループ等の「ありがとう」の送信の頻度は、灰色の棒グラフで示され、「ありがとう」の受信の頻度は、赤色の棒グラフで示され、「ありがとう」の送受信の頻度としては、その灰色の棒と、赤色の棒の両方からなる棒全体の高さとして示される。
【００３７】
したがって、この場合、各グループ等の「ありがとう活性度」の判定としては、図６の部門別活性度グラフ４３のＡグループ、１課、２課、３課、について言えば、「ありがとう」送受信の頻度を示す、灰色と朱色の棒グラフの両者の和の高さが、縦軸上の各点Ｓ，Ａ，Ｂ，Ｃ，Ｄの高さに達しているか否かによって、「ありがとう活性度」が、Ｓ，Ａ，Ｂ，Ｃ，Ｄランクであると判定することができ、図示の場合、Ｂランクと判定されて、全社格付けの四角の表示枠である会社格付け表示枠４１内に「Ｂ」との格付け表示４２がなされる。このようにこの「ありがとう活性度診断」の部門別活性度グラフ４３を見ることにより、「ありがとう」の送受信が、どの部門でどの程度活発に行われているかを、棒グラフの形で見ることができる。
【００３８】
そしてさらに、上記の部門別活性度グラフ４３が表示されている状態において、例えば、図示のＢグループの右隣りの１課等の部門名をクリックすると、該１課内のａ君，ｂ君，ｃ君等の、個人の「ありがとう活性度」を示す部門内個人別活性度グラフ４４がポップアップ表示され、これにより各個人についても、その「ありがとう活性度」を見ることができる。ユーザ端末の画面をもう一度タッチすると部門内個人別活性度グラフ４４は消去され元の表示に戻る。
【００３９】
≪ありがとうマネッジメント診断≫
図７は、ありがとうマネッジメント表示部１４ｍ（図２参照）によって表示されるありがとうマネッジメント診断第１表示画面５０の画面構成図である。
【００４０】
この診断は、社長、部課長、チームリーダーなど、部門をマネッジメントする人（部門長）向けの診断ツールである。組織の長として、自身の「ありがとう」のメッセージ送信が一部の人だけに行われていないかを可視化することによって、マネッジメントの偏りをなくすことを目的としている。部門長の立場になると気がつきにくい点についての目くばり、気配りの一助としてこれを活用することにより、組織の日陰と言われるような部門の発生を防ぐことができる。また、送信に限らず、受信の状況をも確認することで、人間関係の状況を可視化することができる。
【００４１】
この「ありがとうマネッジメント診断」においては、本システムの会員企業の部門長である「田中氏」は、トップ画面９１等のメニュー部９１ｍにて「ありがとうマネッジメント診断」にアクセスすると、図７に示すような、上部中央に、≪ありがとうマネッジメント診断≫の表示を有するありがとうマネッジメント診断第１表示画面５０が得られる。ありがとうマネッジメント診断第１表示画面５０において、氏名のプルダウンメニュー５１を「田中」とし、集計期間選択部５２で「今月」を選択し、雇用形態選択部５３で「社員」を選択し、送受信区分選択部５５で「送受信」を選択すると、以下に説明するありがとうマネッジメント診断部１４ｌ（図２参照）等が動作して、≪ありがとうマネッジメント診断≫の下部表示画面のほぼ中心に、感謝頻度表示マップ５９（親密度表示マップ）が表示される。
【００４２】
親密度表示マップ５９は、その中心の最小円内の表示を分析対象個人マーク５６（図の例では「田中」）とし、これを中心にして３つ、あるいは４つの同心円５８−１，５８−２，５８−３の各円内に、上記同心円の中心からの距離が、上記「ありがとう活性度」の「送信」の棒グラフの高さと、「受信」の棒グラフの高さの和に対応する長さとなる位置に、○〇部の社員は赤色の点５７−１、△△部の社員は青色の点５７−２、□□部の社員は黒色の点５７−３でドットを描いてなる親密度表示マップ５９が表示される。マッピングされる各点５７−１，５７−２，５７−３は、分析対象個人として選択されている人物とメッセージの送信又は／及び受信をした相手を示す相手マークであり、円周方向には適宜の間隔があくように表示される。
【００４３】
部門長は、この親密度表示マップ５９を見ることにより、自身である「田中」氏は、○〇部、△△部、□□部の、どの部の社員と比較的多く「ありがとう」のやりとりを行っているかの傾向、あるいは偏りを判断することができ、今後の自身の「ありがとう」送受信を、どの人達と多く行っていくかの傾向を改善して行くことができる。そして、任意の相手マーク（点５７−１，５７−２，５７−３）を選択すると、その相手マークが示すユーザの氏名がポップアップ表示され、誰であるかがわかる。
【００４４】
さらに、本システムは、図８に示されるありがとうマネッジメント診断第２表示画面６０のような、「ありがとうマネッジメント診断２」の機能をも有する。このありがとうマネッジメント診断第２表示画面６０は、ありがとうマネッジメント表示部１４ｍ（図２参照）によって表示される。部門長は、「ありがとう」送受信の偏りのない活性化のためにこの画面も用いることができる。
【００４５】
ありがとうマネッジメント診断第２表示画面６０は、≪ありがとうマネッジメント診断２≫の表題の表示の下に送受信区分別に送受信の点数を個人毎に表す個人別点数表示部６５が表示されている。この個人別点数表示部６５は、氏名のプルダウンメニュー６１で指定した特定個人（図示の例では「田中氏」）について、期間のプルダウンメニュー６２で指定した期間にわたって、雇用形態のプルダウンメニュー６３で指定した、例えば正社員について、かつ、表示部門のプルダウンメニュー６４で指定した部門の人について、「田中氏」とのありがとうの送受信の頻度を送受信区分別に表示する。送受信区分は、Ａ．感謝している（送信履歴）が、〇（多い）か、×（少ない）か、Ｂ．感謝されている（受信履歴）が、〇（多い）か、×（少ない）かにより、両方多領域６５ａと、送信多受信少領域６５ｂと、送信少受信多領域６５ｃと、両方少領域６５ｄの４つの縦欄に分けて、その送信相手の氏名と、送受信の和の点数とを記載していったものである。したがって、この個人別点数表示部６５を見れば、自身である「田中氏」は、どの部門の人たちとはありがとう送受信をよく行っているが、どの部門の人たちとはありがとう送受信をそんなによく行ってはいない、という傾向を見ることができ、今後、これを改善していくことができる。
【００４６】
このようにして、部門長である「田中」氏は、自身の、他の人との「ありがとう」のやり取りを、「ありがとうマネッジメント診断」、および「ありがとうマネッジメント診断２」の感謝頻度表示マップ５９および個人別点数表示部６５を見てマネッジメントすることができ、「ありがとう」の他の人とのやり取りの偏りを減らすように心がけることができるとともに、疎遠になってありがとうのメッセージの送信も受信も少なくなっている個人にありがとうのメッセージを送信したり対面で話をするなどのコミュニケーションを取ったりすることができる。
【００４７】
また、上記「ありがとうマネッジメント診断」、「ありがとうマネッジメンと診断２」は、診断対象の人として、図７、図８では部門長である「田中氏」を用いた場合を説明したが、これは部門長ではない人を選択するようにしてもよく、そのようにすれば、その人を中心とした組織内人間関係を可視化することができ、これにより、この「ありがとうマネッジメント診断」は、「ありがとう組織内人間関係診断」として機能させることもできる。
【００４８】
≪ありがとう育成診断≫
図９は、ありがとう育成表示部１４ｏ（図２参照）によって表示されるありがとう育成診断表示画面７０の画面構成図である。
【００４９】
この診断も、部門長向けの診断ツールであり、部下の「ありがとう」の心を育むことを目的としている。具体的には、部下の「ありがとう」のメッセージ送信履歴から、１か月あたりの頻度や回数を見て、心の状態を推察する。このツールは、日ごろの仕事の中で、ちいさな「ありがとう」は、たくさんあるはずであり、それに気づく人に導くためのツールである。
【００５０】
図９は、この≪ありがとう育成診断≫を行うありがとう状況表示部７９を示している。ありがとう状況表示部７９は、対象社員ａ，ｂ，ｃ，ｄについて、横軸に時間をとり、各時点での送信、受信の頻度を、青、赤の棒グラフでそれぞれ表し、「ありがとう」送信、「ありがとう」受信の各月平均の値である送信平均値７６および受信平均値７７（対象社員ａ，ｂ，ｃ，ｄにつき、３．５，１．０，０．５，０．２、および７，４，３，５）を求め、かつ、これらより「送信の値」＋「受信の値」×１／１０を求めて、これをありがとうの心指数として感謝指数表示値７８とする。図９では、これらは、対象社員ａ，ｂ，ｃ，ｄにつき、４．２，１．４，０．８，０．７となっている。
【００５１】
ありがとう育成診断表示画面７０において、部門選択部７１にて部門が選択され、雇用形態選択部７２にて雇用形態が選択され、集計期間選択部７３にて集計期間が選択され、送受信区分選択部７４にて送受信の区分が選択されると、これらの選択で指定された範囲の情報をありがとう状況表示部７９に表示する。これらは図６〜図８の図表の場合とほぼ同様であるが、この図９のありがとう状況表示部７９の場合、プルダウンメニューである送受信区分選択部７４が、送信、あるいは受信が選択されている状態であれば、月平均の送信平均値７６、又は月平均の受信平均値７７のみが表示され、感謝指数表示値７８の値は、その表示された値と同じ値が表示されることとなる。
【００５２】
このようなありがとう育成診断において、≪ありがとうの心指数≫が、期間の経過とともに増えていっている人は、小さな「ありがとう」に気づいて行っていると評価することができる。
【００５３】
以上の１．ありがとう活性度診断、２．ありがとうマネッジメント診断、３．ありがとう育成診断の処理を、図１〜図３の構成手段の動作としてみると、以下のようになる。すなわち、感謝メッセージ「ありがとう」の送信の動作は、送信者が、ユーザ端末１８Ａで送信メッセージ作成部１４ｆ内の名前検索部９３ｂ（送信相手先指定手段）により送信相手先を選択入力し、ありがとう！か、すごい！かのバッチを選択入力し、かつ必要に応じてメッセージ（言葉）を入力すると、送信メッセージ作成部１４ｆは入力されたデータより送信する感謝メッセージ（すなわち、「ありがとう！」）を作成し、送信ボタンを押下すると、該感謝メッセージが感謝メッセージ作成部１４ｇにより送信される。一方、その相手先であるユーザ端末１８Ｂでは、メッセージ受信部１４ｄにより前記送信者から送られてきた感謝メッセージが受信され、受信メッセージ表示部１４ｅにより受信メッセージが図４（Ｂ）の受信メッセージ９２ａのように表示される。これらの感謝メッセージの送受信が行われるたびに、管理サーバ１０１の集計部１４ｔは、各利用者ごとに、送信メッセージ、受信メッセージの集計を行い、その集計結果を、図５に示されるようにランキング画面９５において、送信ランキング９６、受信ランキング９７に表示する。
【００５４】
そして、ある利用者が、上記で説明した「ありがとう活性度診断」、「ありがとうマネッジメント診断」、「ありがとう育成診断」の診断結果を得たい場合には、該利用者が、たとえば、「ありがとう活性度診断」のタグを押下した場合は、ユーザ端末１８Ａのありがとう活性度診断部１４ｊが、ありがとう活性度診断要求１４ｊ１を出力し、該要求を受けた管理サーバ１０１の要求処理部１４１は、感謝メッセージのすべての送受信のデータを集積しているありがとうデータ１５１より、所要のデータを抽出して所要の処理を行って、ありがとう活性度診断結果を出力し、該出力は、ノードＥを介して、ユーザ端末１８Ａのありがとう活性度診断部１４ｊを介して、ありがとう活性度表示部１４ｍに入力され、ありがとう活性度が画面表示される。「ありがとうマネッジメント診断」、「ありがとう育成診断」の場合の動作も、同様である。
【００５５】
一方、上記のように感謝メッセージの送受信が行われていってそのデータがありがとうデータ１５１に格納されていっている状態において、本システムにおける「人間関係アラーム（退職アラーム）」機能は、常時動作している。
以下、人間関係アラーム（退職アラーム）について説明する。
【００５６】
≪人間関係アラーム（退職アラーム）≫
図１０は、退職アラーム対象者抽出部１４ｑ（図３参照）の抽出結果に基づいて退職アラーム対象者通知部１４ｓ（退職リスク報知手段）からの通知を受けてアラーム対象者表示部１４ｐ（図２参照）によって表示される人間関係アラーム表示画面８０の画面構成図である。
【００５７】
一般に退職をする人の退職の原因を探ると、９割以上が人間関係に起因していると言われている。そこで、「ありがとう」の蓄積されていく送受信履歴から、３つのポイントに絞り、職場の人間関係を解析する。そして、その解析から、退職につながる可能性がある状況や変化について、定期的に職場の人間関係アラーム（退職アラーム）として、人事部などあらかじめ定められた担当者へ通知し、人間関係の改善を促すこととする。解析は、次の３つの項目から行う。
【００５８】
Ａ．≪感謝するエネルギー（送信履歴）≫
［意図］ありがとうの反対は、「当たり前」といわれるが、今ある環境に感謝するのではなく、当たり前と思うところから、不平不満や愚痴が生まれてくる。そのような心の状況にならないために、「感謝」するエネルギーが心からどれだけ出ているかを観察する。そのために、ありがとうの送信回数に対して、次の［表１］に示すように判断、点数、評価を定める。
【表１】
2019101646.tif 000003
【００５９】
Ｂ．≪感謝される関係性（受信履歴）≫
［意図］人間は誰にでも承認欲求がある。まわりから感謝されることでその欲求は癒されるので、その関係性が整っているかを考察する。そのために、ありがとうの受信回数に対して、次の［表２］に示すように判断、点数、評価を定める。
【表２】
2019101646.tif 000004
【００６０】
Ｃ．≪上司との関係（送信履歴）≫
［意図］退職理由の上位にくるのが、上司や経営者との人間関係である。上司との送受信がなされているかの中から関係性を考察する。そのために、ありがとうの送受信回数に対して、次の［表３］に示すように判断、点数、評価を定める。
【表３】
2019101646.tif 000005
【００６１】
Ｄ．≪計算方法≫
上述した表１〜表３の３つの観点を踏まえて、退職アラームを通知するべき退職リスクを次の（１）〜（５）の考え方で計算する。
（１）計算日より、３０日前の履歴を計算する。
（２）人間関係アラーム（退職アラーム）として、次の［表４］に示すようにランク付けする。
【表４】
2019101646.tif 000006
（３）データを集積する中で数値は見直すものとする。
（４）退職アラームは、定期的に決められた曜日に配信するものとし、過去のレベルから悪化、もしくは改善したものをメール送信する。
（５）退職者が出るたびに、過去のありがとうの送受信履歴を解析し、アラームの精度を向上させる。この精度向上は、人工知能を用いて機械的学習をする構成としてもよい。
【００６２】
すなわち、退職アラーム対象者抽出部１４ｑ（図３参照）は、Ａ．≪感謝するエネルギー（送信履歴）≫が、「ありがとう送信」０で、「危険な状態」（点数０）（評価Ｄ）か、「ありがとう送信」３以下で、「要注意」（点数１０）（評価Ｃ）の状態にあり、Ｂ．感謝される関係性（受信履歴）が、「ありがとう受信」が０で、「危険な状態」（点数０）（評価Ｄ）か、「ありがとう受信」が３以下で、「要注意」（点数３）（評価Ｃ）のユーザを抽出する。そして、退職アラーム対象者通知部１４ｓ（図３参照）は、Ａ．≪感謝するエネルギー（送信履歴）≫、Ｂ．≪感謝される関係性（受信履歴）≫、および、Ｃ．≪上司との関係（送受信履歴）≫、の点数の和が、上記人間関係アラームのレベル１〜レベル５の各ランク（２０点以下、１０点以下、５点以下、３点以下、０点）となったとき、各レベルの退職アラームを発するものである。
【００６３】
図１０は、アラーム対象者表示部１４ｐ（図２参照）が選択されることによって表示される人間関係アラーム表示画面８０（退職リスク報知手段）の画面構成図である。
【００６４】
人間関係アラーム表示画面８０は、人間関係アラーム（退職アラーム）の通知対象となったユーザのありがとうメッセージの送受信状態を示す人間関係アラーム原因情報表示部８１を表示する。この人間関係アラーム原因情報表示部８１では、その氏名欄に並ぶ各ユーザＡ君、Ｂ君、…について、上記Ａ．感謝するエネルギー（送信履歴）、Ｂ．感謝される関係性（受信履歴）、Ｃ．上司との関係（送信履歴）、の各評価（Ａ〜Ｄ）、および上記Ａ．，Ｂ．，Ｃ．の各点数の和、および、今回ランク、前回ランク、および点数の増減を示す矢印を、おのおの記入したものである。この場合、Ａ君と、Ｂ君について、上記Ａ．、Ｂ．，Ｃ．の値が表中に、Ａ君の場合、Ｄ，Ｄ，Ｄとして、Ｂ君の場合、Ｄ，Ｄ，Ｃとして、表示されており、Ａ点、Ｂ君の点数は、それぞれ０点、３点と表示されている。すなわち、Ａ君の場合は、前回も今回も点数は０点で、前回、今回ともランクは５であったが、Ｂ君の場合は、前回は点数が０点で、ランクは５であったものが、今回Ｃ．の上司との送受信が、点数３点となってＣとなり、ランクも４となったものである。
【００６５】
なお、この人間関係アラーム原因情報表示部８１において、氏名欄の例えば、Ａ君をクリックすると、Ａ君の過去のありがとう送受信の状況を示す棒グラフ表示部８２が得られる。さらに該棒グラフ表示部８２中に表示される今の状態ボタン８３が選択されると、Ａ君の今のありがとう送受信の状態を３次元座標空間内に上記Ａ．，Ｂ．，Ｃ．の指標を各軸の座標にとった送受信バランス分析表８４が表示される。
【００６６】
上記人間関係アラーム原因情報表示部８１に示されるように、上司からの送信があったことによって、Ｃ．の点数が３、評価がＣとなっており、この「ありがとう」の送受信の増加によって、退職アラームのレベルがレベル４となっているものであり、このように退職アラームのレベルが改善した場合には、この改善したレベル４は、人事部等あてにメール送信されることとなる。
【００６７】
一方、Ａ君については、Ａ．，Ｂ．，Ｃ．のすべてが０点で、合計点数も０となっているが、この場合、通常の設定では、初回のみアラームが発せられ、次からは、点数の増減がなければアラームは発せられないこととなるが、退職者が出るたびに、過去のありがとうの送受信履歴を解析し、アラームの精度を上げていく処理がなされることによって、点数の増減がない場合にも、ある程度の期間の経過時に退職アラームが発生されるよう、退職アラーム発生の所定条件が設定し直されることが考えられる。また、上記Ａ．，Ｂ．，Ｃ．のすべての点数の和が０である場合には、つねに退職アラームを発生するのを、上記所定の条件とすることも考えられる。
【００６８】
以上の退職アラームの発生の動作は、図１〜図３の構成手段の動作としてみると、以下のようになる。すなわち、退職アラーム対象者抽出部１４ｑは、上記集計部１４ｔおよび要求処理部１４１を経て得る上記ありがとうデータ１５１のデータの中から、各利用者についての感謝メッセージの送信、受信の結果が、所定条件に合致するかを見て、所定条件に合致すれば、退職アラーム対象者通知部１４ｓにより退職アラーム対象者通知信号１４ｓ１が発せられ、該通知信号１４ｓ１は、ノードＨを介して人事部の特定の人だけのユーザ端末１８ｈの退職アラーム対象者表示部１４ｐに入力され、該ユーザ端末１８ｈの受信画面９２に、図４（Ｂ）の（退）に示されるように退職アラームマーク９１ｚが表示される。（同様に、図４（Ａ），図４（Ｃ）、図４（Ｄ）の各画面９１，９３，９４にも図中の（退）に示されるように退職アラームマーク９１ｚが表示される。）
【００６９】
なお、上記退職アラームを作成するための処理は、上述もしているように、定期チェック実行部１４ｒ（図３参照）が定期的に決められた曜日に配信するものとし、過去のレベルから、悪化、もしくは、改善したものをメール送信する。さらに、これも上述もしているように、退職者が出るたびに、過去のありがとうの送受信履歴を解析し、アラームの精度を挙げていくようにする。
【００７０】
以上の構成および動作により、感謝のメッセージの送信又は／及び受信を通じて、人と人との繋がりの深さを診断することができる。詳述すると、例えば、感謝の気持ちを点数やポイントで表すと、感謝の度合いを表せるものの繋がりの深さはわからない。つまり、１回で１００点を付与してそれっきりの場合は、１点を１００回付与する人間関係よりは繋がりが浅いと思われるが、点数は同じ１００点であるから同じ評価となる。これに対して、本発明は、メッセージの内容や点数でなく、送信又は／及び受信の回数で集計するために、人と人との繋がりの深さを判別できる。
【００７１】
そして、これによって、人と人との繋がりが希薄になってきている利用者を抽出し、退職の恐れがあるとして退職アラームをその上司に通知することができる。すなわち、ありがとうメッセージの送信回数又は／及び受信回数が減少していくことは、会社内でのコミュニケーションが減少していることと同義である。このため、このありがとうメッセージの送受信の減少をチェックすることで、退職のおそれのある利用者（社員）を退職前に抽出して上司に通知することができ、上司は、これに対して本人と話す等の対応を取ることができる。
【００７２】
また、ありがとうメッセージは、最小限で行おうとすると、送信先の利用者を特定し、バッチに「ありがとう！」と「すごい！」のどちらかを選択し、送信ボタンを押下するだけで送信できるため、利用者は気軽に少しの操作でありがとうメッセージを送りたい人に送ることができる。
【００７３】
また、退職アラーム（人間関係アラーム）は、レベルに応じて段階別に通知される。このため、退職直前になるまでわからないということがなく、早目の段階で対策を取っていくことができる。
【００７４】
また、本感謝メッセージ送受信システム１を利用する社内のグループ間等において、「ありがとう」の送受信の履歴データに基づき、その解析を行って「ありがとう」のやりとりが、どの部門で多くなされているか、また、どの部門が非活性化しているかが可視化することができる。また、そのやりとりが少ないことは関係性が薄く浅くなっていく原因になることに着眼し、その点を数値化して、退職アラームを発するといったことができる。これらにより、その人間関係の希薄さや悪化が原因で起こる様々な問題（業績悪化、連携ミス、ハラスメント、退職など）を、未然に発見し防ぐことが可能となる。
【００７５】
この発明は、上述の実施形態の構成のみに限定されるものではなく、多くの実施の形態を得ることができる。  
例えば、上記の例では、感謝するエネルギー（送信履歴）、感謝される関係性（受信履歴）、上司との関係（送信履歴）、の各々を、「ありがとう」の受信、又は送信の頻度から点数付けを行ってその和を求め、その和のランク付けを行って退職アラームを、レベル１〜レベル５のものとして発するようにしたが、これと異なる方法で、退職アラームを発する構成としてもよい。
【００７６】
また、退職アラームは、所定期間内に、利用者上下関係データに記憶された自身の上司となる利用者との間での前記感謝メッセージの送信、受信、又は送受信の回数が所定回数である、一例としては“０”である、場合に発することとすることができる。
【００７７】
したがって、上記表図において、所定期間にわたり、上司との間で送信も受信もないときに、その利用者（部下）に退職の恐れがあるとする退職アラームを、その利用者の上司に対して通知することができる。  
あるいは、この退職アラームは、該ある人の「ありがとう」の送信、受信の減少があったときに発するものとすることもできる。
【００７８】
また、感謝メッセージの送信、受信、または送受信の頻度を、適宜の期間毎に集計して時間軸上での変化を示すグラフを表示する推移画面を備えても良い。  
この場合、縦軸をメッセージの頻度、横軸を時間軸として棒グラフまたは折れ線グラフにより表示するとよく、母数を全社、部門別、または個人別といったように適宜設定できるように構成すると良い。  
これにより、感謝メッセージの頻度、すなわち感謝活動の活性度の推移を時系列に確認できる。
【００７９】
またこの場合、感謝メッセージの頻度の推移に合わせて、業績の推移を同じ画面に表示する構成としてもよい。この場合、同じ時間軸上に、感謝メッセージの頻度と業績を表示すると良い。この業績についても、全社の業績、部門別の業績、個人別の業績など適宜のレベルでの業績を母数としてグラフ表示することができる。これにより、感謝活動の活性度と業績の連動制を確認することができる。
【産業上の利用可能性】
【００８０】
本発明は、コンピュータを用いてデータを送受信する産業に利用することができ、特に、人と人のコミュニケーションを分析する産業に利用することができる。
【符号の説明】
【００８１】
１…感謝メッセージ送受信システム
８ｂ…記憶部
１４ｃ…トップ画面表示部
１４ｄ…メッセージ受信部
１４ｅ…受信メッセージ表示部
１４ｅ…受信メッセージ表示部
１４ｇ…メッセージ送信部
１４ｍ…ありがとうマネッジメント表示部
１４ｓ…退職アラーム対象者通知部
１４ｔ…集計部
４３…部門別活性度グラフ
１４ｋ…ありがとう活性度表示部
５１…氏名のプルダウンメニュー
５６…分析対象個人マーク
５７−１，５７−２，５７−３…相手マーク
５９…感謝頻度表示マップ
５０…ありがとうマネッジメント診断第１表示画面
８０…人間関係アラーム表示画面
９３ｂ…名前検索指定部
【図１】
2019101646.tif 000007
【図２】
2019101646.tif 000008
【図３】
2019101646.tif 000009
【図４】
2019101646.tif 000010
【図５】
2019101646.tif 000011
【図６】
2019101646.tif 000012
【図７】
2019101646.tif 000013
【図８】
2019101646.tif 000014
【図９】
2019101646.tif 000015
【図１０】
2019101646.tif 000016
【手続補正書】
【提出日】平成30年5月19日(2018.5.19)
【手続補正１】
【補正対象書類名】特許請求の範囲
【補正対象項目名】全文
【補正方法】変更
【補正の内容】
【特許請求の範囲】
【請求項１】
感謝メッセージの送信先を指定する送信先指定手段と、
前記感謝メッセージをメッセージ区分の選択により入力するメッセージ区分選択部と、
必要に応じて言葉によるメッセージを入力するメッセージ内容入力部と、
指定した相手へ前記感謝メッセージを送信する感謝メッセージ送信手段と、
送られてきた感謝メッセージを受信する感謝メッセージ受信手段と、
送信又は／及び受信した感謝メッセージを出力する感謝メッセージ出力手段と、
前記感謝メッセージを記憶する記憶手段と、
所定期間内に各利用者が送信又は受信した感謝メッセージの送信回数、受信回数、および、上司への送信、受信、または送受信の回数を前記記憶手段から読み出して利用者ごとに集計する集計手段と、
前記各利用者のうち前記集計手段による集計結果により前記送信回数による点数、前記受信回数による点数、および前記上司への送信、受信、または送受信の回数による点数の和によりランクを定め、当該ランクが予め定められたレベルのランクである確認対象利用者について、当該確認対象利用者がコミュニケーション不足による退職のリスクがあることを報知する退職リスク報知手段とを備え、
前記集計手段は、前記メッセージ内容入力部に入力されたメッセージの内容ではなく前記メッセージ区分選択部により選択された感謝メッセージの送信回数および受信回数を集計する構成である
感謝メッセージ送受信システム。
【請求項２】
前記記憶手段は、前記各利用者の所属を示す所属データを記憶する構成であり、
前記集計手段により前記感謝メッセージを前記所属別に集計し、
前記所属別の前記感謝メッセージの送信又は／及び受信の頻度を所属別活性度として前記所属別に表示する所属別活性度表示手段を備え、
前記所属別活性度表示手段は、
集計する期間を選択する期間選択部と、
送信、受信、および送受信のいずれか１つを選択する送受信選択部とを有し、
前記送受信選択部で選択された送信、受信、および送受信のどれかについて前記期間選択部で選択された期間で集計して前記所属別活性度を前記所属別に表示する構成である
請求項１記載の感謝メッセージ送受信システム。
【請求項３】
前記利用者は、企業の登録従業員であり、
前記企業の前記登録従業員が１ヶ月の間に前記感謝メッセージを送信した投稿数を該当月の従業員数で除算した値をありがとう活性度とし、前記ありがとう活性度の値でランク付けすることによって前記企業を格付けするありがとう活性度診断部を備え、
前記格付けを表示する会社格付け表示枠が設けられた
請求項２記載の感謝メッセージ送受信システム。
【請求項４】
前記各利用者のうち確認したい特定の一人を指定する特定利用者指定手段と、
前記集計手段で集計した集計結果に基づいて、前記特定利用者指定手段により指定された特定利用者が他の利用者との間で行った感謝メッセージの送信又は／及び受信の頻度を表示する感謝頻度表示手段を備え、
前記感謝頻度表示手段は、前記特定利用者を表す特定利用者マークを中心に配置し、周囲に前記他の利用者を表す他の利用者マークを配置した感謝頻度表示診断図を表示する構成であり、
前記感謝頻度表示診断図における前記他の利用者マークは、前記他の利用者毎に、前記中心からの距離と円周方向の位置とで規定される座標系に位置決めされる構成であり、
前記中心からの距離は、前記頻度が高いほど短くなるように決定され、
前記円周方向の位置は、前記他の利用者毎に異なる位置に決定されており、
前記感謝頻度表示手段は、
集計期間を選択する集計期間選択部と、
雇用形態を選択する雇用形態選択部を備え、
前記集計手段は、前記集計期間選択部で選択された集計期間内に、前記雇用形態選択部で選択された雇用形態の利用者が前記感謝メッセージを送信、受信、および送受信した回数を集計する構成である
請求項３記載の感謝メッセージ送受信システム
【請求項５】
感謝メッセージの送信先を指定する送信先指定ステップと、
前記感謝メッセージをメッセージ区分の選択により入力するメッセージ区分選択ステップと、
必要に応じて言葉によるメッセージを入力するメッセージ内容入力ステップと、
前記感謝メッセージの送信先として指定した相手へ前記感謝メッセージを送信する感謝メッセージ送信ステップと、
他の利用者から送られてくる感謝メッセージを受信する感謝メッセージ受信ステップと、
送信又は／及び受信した感謝メッセージを出力する感謝メッセージ出力ステップと、
前記感謝メッセージを記憶手段に記憶する記憶ステップと、
所定期間内に各利用者が送信又は受信した感謝メッセージの送信回数、受信回数、および、上司への送信、受信、または送受信の回数を前記記憶手段から読み出して利用者ごとに集計する集計ステップと、
前記各利用者のうち集計手段による集計結果により前記送信回数による点数、前記受信回数による点数、および前記上司への送信、受信、または送受信の回数による点数の和によりランクを定め、当該ランクが予め定められたレベルのランクである確認対象利用者について、当該確認対象利用者がコミュニケーション不足による退職のリスクがあることを報知する退職リスク報知ステップとを有し、
前記集計ステップは、前記メッセージ内容入力部に入力されたメッセージの内容ではなく前記メッセージ区分選択部により選択された感謝メッセージの送信回数および受信回数を集計する構成である
感謝メッセージ送受信方法。
【請求項６】
コンピュータを、
感謝メッセージの送信先を指定する送信先指定手段と、
前記感謝メッセージをメッセージ区分の選択により入力するメッセージ区分選択部と、
必要に応じて言葉によるメッセージを入力するメッセージ内容入力部と、
指定した相手へ前記感謝メッセージを送信する感謝メッセージ送信手段と、
送られてきた感謝メッセージを受信する感謝メッセージ受信手段と、
送信又は／及び受信した感謝メッセージを出力する感謝メッセージ出力手段と、
前記感謝メッセージを記憶する記憶手段と、
所定期間内に各利用者が送信又は受信した感謝メッセージの送信回数、受信回数、および、上司への送信、受信、または送受信の回数を前記記憶手段から読み出して利用者ごとに集計する集計手段と、
前記各利用者のうち前記集計手段による集計結果により前記送信回数による点数、前記受信回数による点数、および前記上司への送信、受信、または送受信の回数による点数の和によりランクを定め、当該ランクが予め定められたレベルのランクである確認対象利用者について、当該確認対象利用者がコミュニケーション不足による退職のリスクがあることを報知する退職リスク報知手段として機能させ、
前記集計手段は、前記メッセージ内容入力部に入力されたメッセージの内容ではなく前記メッセージ区分選択部により選択された感謝メッセージの送信回数および受信回数を集計する構成である
感謝メッセージ送受信プログラム。
【手続補正２】
【補正対象書類名】明細書
【補正対象項目名】０００６
【補正方法】変更
【補正の内容】
【０００６】
この発明は、感謝メッセージの送信先を指定する送信先指定手段と、前記感謝メッセージをメッセージ区分の選択により入力するメッセージ区分選択部と、必要に応じて言葉によるメッセージを入力するメッセージ内容入力部と、指定した相手へ前記感謝メッセージを送信する感謝メッセージ送信手段と、送られてきた感謝メッセージを受信する感謝メッセージ受信手段と、送信又は／及び受信した感謝メッセージを出力する感謝メッセージ出力手段と、前記感謝メッセージを記憶する記憶手段と、所定期間内に各利用者が送信又は受信した感謝メッセージの送信回数、受信回数、および、上司への送信、受信、または送受信の回数を前記記憶手段から読み出して利用者ごとに集計する集計手段と、前記各利用者のうち前記集計手段による集計結果により前記送信回数による点数、前記受信回数による点数、および前記上司への送信、受信、または送受信の回数による点数の和によりランクを定め、当該ランクが予め定められたレベルのランクである確認対象利用者について、当該確認対象利用者がコミュニケーション不足による退職のリスクがあることを報知する退職リスク報知手段とを備え、前記集計手段は、前記メッセージ内容入力部に入力されたメッセージの内容ではなく前記メッセージ区分選択部により選択された感謝メッセージの送信回数および受信回数を集計する構成である感謝メッセージ送受信システム、これによる感謝メッセージ送受信方法、および感謝メッセージ送受信プログラムであることを特徴とする。
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
感謝メッセージの送信先を指定する送信先指定手段と、
前記感謝メッセージをメッセージ区分の選択により入力するメッセージ区分選択部と、
必要に応じて言葉によるメッセージを入力するメッセージ内容入力部と、
指定した相手へ前記感謝メッセージを送信する感謝メッセージ送信手段と、
送られてきた感謝メッセージを受信する感謝メッセージ受信手段と、
送信又は／及び受信した感謝メッセージを出力する感謝メッセージ出力手段と、
前記感謝メッセージを記憶する記憶手段と、
所定期間内に各利用者が送信又は受信した感謝メッセージの送信回数、受信回数、および、上司への送信、受信、または送受信の回数を前記記憶手段から読み出して利用者ごとに集計する集計手段と、
前記各利用者のうち前記集計手段による集計結果により前記送信回数による点数、前記受信回数による点数、および前記上司への送信、受信、または送受信の回数による点数の和によりランクを定め、当該ランクが予め定められたレベルのランクである確認対象利用者について、当該確認対象利用者がコミュニケーション不足による退職のリスクがあることを報知する退職リスク報知手段とを備え、
前記集計手段は、前記メッセージ内容入力部に入力されたメッセージの内容ではなく前記メッセージ区分選択部により選択された感謝メッセージの送信回数および受信回数を集計する構成である
感謝メッセージ送受信システム。
【請求項２】
前記記憶手段は、前記各利用者の所属を示す所属データを記憶する構成であり、
前記集計手段により前記感謝メッセージを前記所属別に集計し、
前記所属別の前記感謝メッセージの送信又は／及び受信の頻度を所属別活性度として前記所属別に表示する所属別活性度表示手段を備え、
前記所属別活性度表示手段は、
集計する期間を選択する期間選択部と、
送信、受信、および送受信のいずれか１つを選択する送受信選択部とを有し、
前記送受信選択部で選択された送信、受信、および送受信のどれかについて前記期間選択部で選択された期間で集計して前記所属別活性度を前記所属別に表示する構成である
請求項１記載の感謝メッセージ送受信システム。
【請求項３】
前記利用者は、企業の登録従業員であり、
前記企業の前記登録従業員が１ヶ月の間に前記感謝メッセージを送信した投稿数を該当月の従業員数で除算した値をありがとう活性度とし、前記ありがとう活性度の値でランク付けすることによって前記企業を格付けするありがとう活性度診断部を備え、
前記格付けを表示する会社格付け表示枠が設けられた
請求項２記載の感謝メッセージ送受信システム。
【請求項４】
前記各利用者のうち確認したい特定の一人を指定する特定利用者指定手段と、
前記集計手段で集計した集計結果に基づいて、前記特定利用者指定手段により指定された特定利用者が他の利用者との間で行った感謝メッセージの送信又は／及び受信の頻度を表示する感謝頻度表示手段を備え、
前記感謝頻度表示手段は、前記特定利用者を表す特定利用者マークを中心に配置し、周囲に前記他の利用者を表す他の利用者マークを配置した感謝頻度表示診断図を表示する構成であり、
前記感謝頻度表示診断図における前記他の利用者マークは、前記他の利用者毎に、前記中心からの距離と円周方向の位置とで規定される座標系に位置決めされる構成であり、
前記中心からの距離は、前記頻度が高いほど短くなるように決定され、
前記円周方向の位置は、前記他の利用者毎に異なる位置に決定されており、
前記感謝頻度表示手段は、
集計期間を選択する集計期間選択部と、
雇用形態を選択する雇用形態選択部を備え、
前記集計手段は、前記集計期間選択部で選択された集計期間内に、前記雇用形態選択部で選択された雇用形態の利用者が前記感謝メッセージを送信、受信、および送受信した回数を集計する構成である
請求項３記載の感謝メッセージ送受信システム
【請求項５】
感謝メッセージの送信先を指定する送信先指定ステップと、
前記感謝メッセージをメッセージ区分の選択により入力するメッセージ区分選択ステップと、
必要に応じて言葉によるメッセージを入力するメッセージ内容入力ステップと、
前記感謝メッセージの送信先として指定した相手へ前記感謝メッセージを送信する感謝メッセージ送信ステップと、
他の利用者から送られてくる感謝メッセージを受信する感謝メッセージ受信ステップと、
送信又は／及び受信した感謝メッセージを出力する感謝メッセージ出力ステップと、
前記感謝メッセージを記憶手段に記憶する記憶ステップと、
所定期間内に各利用者が送信又は受信した感謝メッセージの送信回数、受信回数、および、上司への送信、受信、または送受信の回数を前記記憶手段から読み出して利用者ごとに集計する集計ステップと、
前記各利用者のうち集計手段による集計結果により前記送信回数による点数、前記受信回数による点数、および前記上司への送信、受信、または送受信の回数による点数の和によりランクを定め、当該ランクが予め定められたレベルのランクである確認対象利用者について、当該確認対象利用者がコミュニケーション不足による退職のリスクがあることを報知する退職リスク報知ステップとを有し、
前記集計ステップは、前記メッセージ内容入力ステップにて入力されたメッセージの内容ではなく前記メッセージ区分選択ステップにて選択された感謝メッセージの送信回数および受信回数を集計する構成である
感謝メッセージ送受信方法。
【請求項６】
コンピュータを、
感謝メッセージの送信先を指定する送信先指定手段と、
前記感謝メッセージをメッセージ区分の選択により入力するメッセージ区分選択部と、
必要に応じて言葉によるメッセージを入力するメッセージ内容入力部と、
指定した相手へ前記感謝メッセージを送信する感謝メッセージ送信手段と、
送られてきた感謝メッセージを受信する感謝メッセージ受信手段と、
送信又は／及び受信した感謝メッセージを出力する感謝メッセージ出力手段と、
前記感謝メッセージを記憶する記憶手段と、
所定期間内に各利用者が送信又は受信した感謝メッセージの送信回数、受信回数、および、上司への送信、受信、または送受信の回数を前記記憶手段から読み出して利用者ごとに集計する集計手段と、
前記各利用者のうち前記集計手段による集計結果により前記送信回数による点数、前記受信回数による点数、および前記上司への送信、受信、または送受信の回数による点数の和によりランクを定め、当該ランクが予め定められたレベルのランクである確認対象利用者について、当該確認対象利用者がコミュニケーション不足による退職のリスクがあることを報知する退職リスク報知手段として機能させ、
前記集計手段は、前記メッセージ内容入力部に入力されたメッセージの内容ではなく前記メッセージ区分選択部により選択された感謝メッセージの送信回数および受信回数を集計する構成である
感謝メッセージ送受信プログラム。